(57)【特許請求の範囲】
【請求項１】
レンズを保持する移動レンズ保持部材を固定部材に対して光軸方向に沿って移動可能に支持案内するガイド手段を有する撮影用レンズにおいて、
該ガイド手段は、前記移動レンズ保持部材および前記固定部材とは別部材であって前記移動レンズ保持部材および前記固定部材のうち一方の部材に一体的に設けられ、光軸方向に延びる案内部を有するガイド部材と、前記移動レンズ保持部材および前記固定部材のうち他方の部材に設けられ、該案内部に係合する係合部を有することを特徴とする撮影用レンズ。
【請求項２】
前記ガイド部材が、前記一方の部材に対して着脱可能であることを特徴とする請求項１に記載の撮影用レンズ。
【請求項３】
前記ガイド部材が、前記一方の部材とは異なる材料で作られた部材であること特徴とする請求項１又は２に記載の撮影用レンズ。
【請求項４】
レンズを保持する移動レンズ保持部材を光軸の回りに回転する回転部材に対して光軸方向に沿って移動可能に支持案内するガイド手段を有する撮影用レンズにおいて、
該ガイド手段は、前記回転部材とは別部材であって前記回転部材に一体的に設けられ、光軸方向に延びる案内部を有するガイド部材と、前記移動レンズ保持部材に設けられ、該案内部と係合する係合部とを有することを特徴とする撮影用レンズ。
【請求項５】
前記ガイド部材が、前記回転部材に対して着脱可能であることを特徴とする請求項４に記載の撮影用レンズ。
【請求項６】
前記ガイド部材が、前記回転部材とは異なる材料で作られた部材であることを特徴とする請求項４又は５に記載の撮影用レンズ。
【発明の詳細な説明】
【０００１】
【産業上の利用分野】
本発明は、撮影用レンズに関し、特にレンズ群が光軸方向に移動する際の直進案内溝に関するもあである。
【０００２】
【従来の技術】
撮影用レンズ、特にフォーカス、ズーム操作を行うレンズ群を光軸方向に移動させる構造として、複数個の直進案内溝と該直進案内溝に係合する直進案内ピンとカム、あるいはヘリコイド等の送り手段と該送り手段に係合する送り案内ピンを用いる方式が一般的に採用されている。
【０００３】
図５は送り手段にカムを採用した従来の撮影用レンズの要部破断斜視図を示す。同図において、５１は固定筒であり、レンズ保持鏡筒５３を光軸に沿って移動させるための直進案内溝５１ａが内径側に複数箇所光軸方向に沿って形成されている。５２はレンズ、５３はレンズ５２を保持するレンズ保持鏡筒、５４はレンズ保持鏡筒５３に具備された直進案内ピン、５５は送り案内ピン５６が係合するカム溝５５ａが形成されたカム棒である。５６はレンズ保持鏡筒５３に具備された送り案内ピンである。
【０００４】
以上の構成において、カム棒５５を回転させるとカム溝５５ａに係合する送り案内ピン５６によってレンズ保持鏡筒５３が光軸方向に移動する。該レンズ保持鏡筒５３の回転規制、及び移動する際のガイドはレンズ鏡筒５Зに具備された直進案内ピン５４と該直進案内ピン５４が係合している直進案内溝５１ａにて行われており、該レンズ鏡筒５３は複数箇所の直進案内溝５１ａによって宙釣りの状態である。すなわちレンズ鏡筒５３の重量は直進案内溝５１ａが支える構造になっている。
【０００５】
【発明が解決しようとする課題】
図５に示した固定筒は、撮影用レンズの骨組みをなす重要機構部品である。一方、直進案内溝は光学性能や操作性を左右するため、高い精度が要求される部分であり、加工の難易度が高く、コストの高い部品となっている。
【０００６】
しかしながら、上記従来例では直進案内溝が固定筒の一部として形成されているので、直進案内溝の加工における不良や、製品の衝撃や落下等により固定筒が変形して、直進案内溝に不具合が生じると、確実な直進案内ができない場合があった。
【０００７】
また、撮影用レンズの軽量化に対する市場の要求から、固定筒の材質は従来よリー般的に用いられているアルミニウム合金からマグネシウム合金に替えられることも多く、耐食性、耐摩耗性、強度が必要とされる直進案内溝に不具合が発生する危険性が増している。
【０００８】
更に、光学性能の向上や高倍率化による移動レンズ群の重量化、あるいはズーム速度の高速化による移動レンズ群の慣性力の増加により、直接案内溝にかかる負荷はますます増大しており、前述の問題に拍車をかけている。
【０００９】
本発明は上記問題を鑑みてなされたものであり、特に移動レンズ群の光軸方向ガイド部における不具合の発生を抑えることが可能で、高品質の画像の撮影が可能な撮影用レンズの提供を目的とする。
【００１０】
【課題を解決するための手段および作用】
上記目的を達成するため、本発明は、固定筒、回転筒、あるいはレンズ保持鏡筒、直進案内溝を有するガイド部材を別部材として一体的に設けた特徴とする。
【００１１】
上記構成において、ガイド部材に形成された直進案内溝は該ガイド部材が締結される固定筒や回転筒、あるいはレンズ保持鏡筒と異なる加工工程で製作することができる。同様にして、異なる材質で製作することができる。
【００１２】
【実施例】
（実施例１）
図１は本発明の実施例１を示す撮影用レンズの要部破断斜視図で、送り手段にカムを採用した場合を表したものである。
【００１３】
同図において、１は固定筒であり、内径部に複数の溝部１ａが光軸方向に沿って形成されている。この溝部１ａには、後述するガイド部材４が取り付けられている。２はレンズ、３はレンズ２を保持するレンズ保持鏡筒である。４は直進案内溝４ａが形成され、固定筒１の溝部１ａに収容され、固定筒１に締結されたガイド部材、４ａはレンズ保持鏡筒３を光軸方向にガイドする直進案内溝である。５はレンズ保持鏡筒３に具備された直進案内ピン、６はカム溝６ａが形成されたカム棒、６ａは送り案内ピン７が係合するカム溝、７はレンズ保持鏡筒３に具備された送り案内ピン、８は固定筒１とガイド４部材４を締結するビスである。
【００１４】
以上の構成において、カム棒６を回転させると、カム溝６ａに係合する送り案内ピン７によってレンズ保持鏡筒３が光軸方向に移動し、該レンズ保持鏡筒３の回転規制、及び移動する際のガイドはレンズ鏡筒３に具備された直進案内ピン５と該直進案内ピン５が係合している直進案内溝４ａにて行われている。
【００１５】
すなわちレンズ鏡筒３は複数箇所のガイド部材４に形成された直進案内溝４ａによって宙釣りの状態であり、該レンズ鏡筒３の重量は直進案内溝４ａが支える構造になっている。
【００１６】
しかしながら、直進案内溝４ａは固定筒１にビス８で締結されたガイド部材４に設けられているので、直進案内溝４ａに不具合が発生したとき、あるいは発生が予想されたときは、ガイド部材４を固定筒１から取りはずして交換する等の処置を施すことが容易となり、高品質な画像の撮影が可能な撮影用レンズを提供することができる。
【００１７】
（実施例２）
図２は本発明の第２実施例を示し、送り手段にヘリコイドを採用した撮影用レンズの要部破断斜視図である。
【００１８】
同図において、１１は固定筒であり、内径に逃げ部１１ａが光軸方向に沿って形成されている。１１ａはガイド部材１４の逃げ部で、この逃げ部１１ａ内に直進案内ピン１５がナット１６にて取り付けられている。１２はレンズ、１３はレンズ１２を保持するレンズ保持鏡筒である。１４は直進案内溝１４ａが形成され、レンズ保持鏡筒１３に締結されたガイド部材で、この直進案内溝１４ａはレンズ保持鏡筒３が光軸方向に移動する際の直進案内の役目を果たす。１５は固定筒１１に具備された直進案内ピン、１６は直進案内ピン１５を固定するナット、１７はオスヘリコイド、１８はメスヘリコイドである。１９はレンズ保持鏡筒１３に具備され、メスヘリコイド１８に係合する送り案内ピン、２０はレンズ保持鏡筒１３とガイド部材１４を締結するビスである。
【００１９】
以上の構成において、オスヘリコイド１７を回転させるとメスヘリコイド１８に係合する送り案内ピン１９によつてレンズ保持鏡筒１３が光軸方向に移動し、該レンズ保持鏡筒１３の回転規制、及び移動する際のガイドは固定筒１１に具備された直進案内ピン１５と該直進案内ピン１５が係合している直進案内溝１４ａにて行われている。
【００２０】
すなわちレンズ鏡筒１３は複数箇所のガイド部材に形成された直進案内溝１４ａによって宙釣りの状態であり、該レンズ鏡筒１３の重量は直進案内溝１４ａが支える構造になっている。しかしながら、直進案内溝１４ａはレンズ保持鏡筒１３の外周部にビス２０で締結されたガイド部材１４に設けられているので、直進案内溝１４ａに不具合が発生したとき、あるいは発生が予想されたときはガイド部材１４をレンズ保持鏡筒１３から取りはずして交換する等の処置を施すことが容易となり、高品質な画像の撮影が可能な撮影用レンズを提供することができる。
【００２１】
（実施例３）
図３は本発明の実施例３を示し、送り手段に３本カム方式を採用した撮影用レンズの断面図であり、図４は図３のＡ―Ａ断面図である。
【００２２】
同図において、３１は焦点調整用レンズ、３２は変倍レンズ、３３は補正レンズ、З４は結像レンズである。３５は第１固定筒で、カム３５ａとカム３５ｂが形成されている。３６は第２固定筒、３７はガイド部材４１が締結された回転筒である。３８と３９はベアリング、４０は第２固定筒３６に嵌合し、操作リング４５を軸方向に規制する規制リングである。
【００２３】
４１は直達案内溝４１ａが形成され、回転筒３７に締結されたガイド部材である。４１ａは変倍レンズ保持部材４２と補正レンズ保持部材４３にそれぞれ設けられた直進案内ピン４４が係合し、変倍レンズ保持部材４２と補正レンズ保持部材４３を光軸方向にガイドする直進案内溝である。４２は変倍レンズ３２を保持する変倍レンズ保持部材、４３は補正レンズ３３を保持する補正レンズ保持部材、４４は直進案内ピン、４５は第２固定筒３６に回転可能に嵌合し、変倍操作を行う操作リングである。
【００２４】
４５ａは操作リング４５に形成され、駆動ピン４６が係合する穴部である。４６は回転筒З７に具備され、操作リング４５の回転を伝違する駆動ピンである。４７はガイド部材４１を回転筒З７に締結するビスである。
【００２５】
以上の構成において、操作リング４５を回転させると、駆動ピン４６により回転筒３７が回転する。該回転筒３７には直進案内溝４１ａが形成されたガイド部材４１が締結されており、該直進案内溝４１ａには直進案内ピン４４が係合している。同時に該直進案内ピン４４は固定筒З５に形成されたカム３５ａとカム３５ｂにも係合しているので、操作リング４５の回転により、変倍レンズ保持部材４２と補正レンズ保持部材４３は回転しながら光軸方向に移動する。
【００２６】
すなわち変倍レンズ保持部材４２と補正レンズ保持部材４３は複数箇所のガイド部材４１に形成された直進案内溝４１ａと固定筒３５に形成されたカムЗ５ａとカム３５ｂによって宙釣りの状態であり、変倍レンズ保持部材４２と補正レンズ保持部材４３の重量は直進案内溝４１ａが支える構造になっている。
【００２７】
しかしながら、直進案内溝４１ａは回転筒３７にビス４７で締結されたガイド部材４１に設けられているので、直進案内溝４１ａに不具合が発生したとき、あるいは発生が予想されたときはガイド部材４１を固定筒３７から取りはずして交換する等の処置を施すことが容易となり、高品位な画像の撮影が可能な撮影用レンズを提供することができる。
【００２８】
上記した各実施例において、直進案内溝を構成するガイド部材は、これが取付けられる固定筒、回転筒、レンズ保持鏡筒とは別の材料で形成することができ、耐食性、耐摩耗性の向上が図れ、また強度の面でも効果的な材料の選択が可能となり、不具合の発生を低減することができる。
【００２９】
【発明の効果】
以上説明したように、本発明によればガイド手段のガイド部材はレンズ保持部材、固定筒又は回転筒に別部材として設けられることにより、固定筒や回転筒、あるいはレンズ保持鏡筒にガイド手段を一体形成した場合に比べて不具合発生率が低減し、コストが節約できる。
【００３０】
同様にして、固定筒や回転筒やレンズ保持鏡筒に軽い材料が使用できるようになり、軽量化が達成できる。
【００３１】
また、ガイド溝の形成されたガイド部材は、耐食性、耐摩耗性、強度の面で効果的な材料の選択が可能となり、不具合の発生を低減することができるし、耐久性も向上するうえ更なる仕様の向上が可能となる。
【００３２】
一方、メインテナンスも容易となり、作業時間の短縮と交換費用の削滅が可能となるなど本発明の効果は絶大である。
【図面の簡単な説明】
【図１】本発明の実施例１の撮影用レンズの要部破断斜視図。
【図２】本発明の実施例２の撮影用レンズの要部破断斜視図
【図３】本発明の実施例３の撮影用レンズの断面図。
【図４】図３のＡ―Ａ断面図。
【図５】従来例を表す撮影用レンズの要部破断斜視図。
【符号の説明】
１…固定筒                            ３３…補正レンズ
１ａ…溝部                            ３４…結像レンズ
２…レンズ                            ３５…固定筒
３…レンズ保持鏡筒                    ３５ａ、カム３５ｂ…カム
４…ガイド                            ３６…第２固定筒
４ａ…直進案内溝                      ３７…回転筒
５…直進案内ピン                      ３８、３９…ベアリング
６…カム棒                            ４０…規制リング
６ａ…カム溝                          ４１…ガイド部材
７…送り案内ピン                      ４１ａ…直進案内溝
８…ビス                              ４２…変倍レンズ保持部材
１１…固定筒                          ４３…補正レンズ保持部材
１１ａ…逃げ部                        ４４…直進案内ピン
１２…レンズ                          ４５…操作リング
１３…レンズ保持鏡筒                  ４５ａ…穴部
１４…ガイド部材                      ４６…駆動ピン
１４ａ…直進案内溝                    ４７…ビス
１５…直進案内ピン                    ５１…固定筒
１６…ナット                          ５１ａ…直進案内溝
１７…オスヘリコイド                  ５２…レンズ
１８…メスヘリコイド                  ５３…レンズ保持鏡筒
１９…送り案内ピン                    ５４…直進案内ピン
２０…ビス                            ５５…カム棒
３１…焦点調整用レンズ                ５５ａ…カム溝
３２…変倍レンズ                      ５６…送り案内ピン
【図１】
0003595597.tif 000002
【図２】
0003595597.tif 000003
【図３】
0003595597.tif 000004
【図４】
0003595597.tif 000005
【図５】
0003595597.tif 000006